(57)【特許請求の範囲】
【請求項１】
廃棄物処分場から排出される浸出水を水処理施設で処理し、該水処理施設から排出される処理水を蒸発施設で蒸発させる処理水の最終処分方法であって、
前記蒸発施設は、屋根部の少なくとも南面側が透明ガラス屋根に形成され、一側部に吸気用窓部が設けられ、他側部に排気用窓部が設けられる建物と、
前記吸気用窓部に設けられて、前記吸気用窓部から前記排気用窓部に向けて送風するファンと、
前記建物の内部に設置されるとともに、内部に前記水処理施設から供給される処理水を一時貯留させる浅底容器状の蒸発槽と、
該蒸発槽の底面に交換可能に敷設されるとともに、前記処理水の水分蒸発後の固形分を吸着する黒色に着色されたフィルタマットとを備え、
前記ファンの駆動によって前記吸気用窓部から前記排気用窓部に向けて送風し、前記蒸発槽の内部に貯留されている処理水を気液接触させることにより、該処理水の水分を蒸発させることを特徴とする処理水の最終処分方法。
【発明の詳細な説明】
【０００１】
【発明の属する技術分野】
本発明は、処理水の最終処分方法に関し、特に、水処理施設から排出される処理水を蒸発乾燥させて処分する処理水の最終処分方法に関する。
【０００２】
【従来の技術】
廃棄物の埋立処分に用いられる最終処分場は、通常、底部とその四周に連なる側壁部とに遮水工が施され、上部側が開口した凹形容器状の廃棄物収容部が形成され、この収容部の上方側から順次廃棄物が埋立てられる。
【０００３】
そして、所定量の廃棄物が収容部に埋立てられると、その上部に最終覆土を設けて、廃棄物の処分を完了し、廃棄物から発生する浸出水は、処分場に隣接設置される水処理施設で所定の廃水処理を行い、水処理施設で処理された後の浸出水処理水は、そのまま公共水域などに放流していた。
【０００４】
しかしながら、このような最終処分方法にあっては、以下に説明する問題があった。
【０００５】
【発明が解決しようとする課題】
まず、主として焼却灰を埋立た処分場からの浸出水処理水には、焼却過程で発生する塩化物イオンが含まれており、このイオンを除去しない状態で放流した場合には、農作物などに対する塩害が懸念される。
【０００６】
このため、製塩工場などで採用されている膜処理や加熱脱水処理を利用し、浸出水処理水から塩化物イオンを除去し、この後に浸出水処理水を公共水域に放流する方法が考えられるが、このような方法では、塩害を防止することはできても、塩化物イオンの除去に大電力や莫大な火力エネルギーを必要とするため、浸出水処理水の処分に要するコストが高くついてしまう。
【０００７】
本発明は、以上の技術課題を解決するものであって、浸出水処理水を公共水域などに放流することなく蒸発乾燥させて処分することにより、公共水域などを利用している農作物などが浸出水処理水に含まれる塩化物イオンによる塩害を受けるのを防止し、さらに、浸出水処理水の処分コストを安く抑えることができる処理水の最終処分方法を提供するものである。
【０００８】
【課題を解決するための手段】
前記目的を達成するため、本発明の請求項１に係る処理水の最終処分方法は、廃棄物処分場から排出される浸出水を水処理施設で処理し、該水処理施設から排出される処理水を蒸発施設で蒸発させる処理水の最終処分方法であって、前記蒸発施設は、屋根部の少なくとも南面側が透明ガラス屋根に形成され、一側部に吸気用窓部が設けられ、他側部に排気用窓部が設けられる建物と、前記吸気用窓部に設けられて、前記吸気用窓部から前記排気用窓部に向けて送風するファンと、前記建物の内部に設置されるとともに、内部に前記水処理施設から供給される処理水を一時貯留させる浅底容器状の蒸発槽と、該蒸発槽の底面に交換可能に敷設されるとともに、前記処理水の水分蒸発後の固形分を吸着する黒色に着色されたフィルタマットとを備え、前記ファンの駆動によって前記吸気用窓部から前記排気用窓部に向けて送風し、前記蒸発槽の内部に貯留されている処理水を気液接触させることにより、該処理水の水分を蒸発させることを特徴とする。
本発明による処理水の最終処分方法によれば、蒸発槽に貯留した処理水をファンの駆動によって気液接触させて、処理水の水分のみを蒸発させることで、水分蒸発後の固形分を黒色に着色されたフィルタマットに吸着させることができる。また、黒色に着色されたフィルタマットに吸着させた固形分は、固形分ごとフィルタマットを撤去し、フィルタマットを新しいものと交換することで、固形分（塩分）除去の手間を省略することができる。
また、フィルタマットに吸熱性を付与することができるので、処理水の水分を効率良く蒸発させることができる。
【００１２】
【発明の実施の形態】
以下、本発明の好ましい実施の形態につき、添付図面を参照して詳細に説明する。図１は本発明方法を適用した最終処分施設を示すものである。
【００１３】
図において、処分施設１の建物２内には、浅底容器状の蒸発槽３が設置され、水処理施設４から供給される処理水を蒸発槽３内に一時貯留するようになっている、また屋根部の少なくとも南面側は太陽光線を通す透明ガラス屋根５となっていて、太陽光を蒸発槽３内に取入れ、これの熱によって、蒸発槽３内に一時貯留された処理水を順次蒸発させている。また、建物２の南北両面には窓部６が開口されている。南面側窓部６は吸気用であって送風用ファン７が装備され、常時南面側窓部６から排気用の北面側窓部６に向けて送風がなされ、気化した水分を順次除去している。
【００１４】
蒸発槽３の底面部は防錆処理を施した鉄板８で構成され、この鉄板８の下面には補助加熱用のニクロム線ヒータ９が配置されている。また、鉄板８の上面には太陽光を吸熱しやすいように黒色に着色されたフィルタマット１０、例えばアスファルトシートなどが交換可能に敷設されている。このマット１０は水分蒸発後の固形分を吸着するものであり、蒸発残滓がある程度たまったら、残滓ごと撤去し、新たなマット１０に交換することで、塩分除去の手間を省略できるようにしている。なお、撤去したマット１０は焼却処分し、マット１０にたまった蒸発残滓は回収して適切に処分する。
【００１５】
さらに、処分施設１の敷地内には、太陽光発電装置となる太陽電池パネル１１および風力発電装置１２が１ないし複数設けられ、これらにより得られた電力を切替器１４を介して前記ヒータ９およびファン７に接続している。
【００１６】
この切替器１４は一般の商用電源１５にも接続され、太陽電池パネル１１および風力発電装置１２の発電量の多寡に応じて商用電源１５側から電気を取入れたり（買電）、商用電源１５側に余剰電力を供給する（売電）ように切替え可能となっている。すなわち切替器１４はファン７およびヒータ９駆動用の必要電力を判定し、その判定値より電力不足であるならば、商用電源１５を取入れ、電力が十分であるなら商用電源１５をカットし、さらに余剰電力が生じたならばその電力を商用電源１５側に送る制御を行う。
【００１７】
なお、以上の作用の他に、商用電源１５は専ら安価な夜間電力を利用し、太陽光がでている日中は専ら太陽電池パネル１１および風力発電装置１２で得られた自前の電力を利用することによって昼夜を分たず蒸発処理を可能としている。また、夜間電力で得られた熱は温水タンク内に溜め、これを熱媒体として蒸発槽３の加熱に用いてもよい。
【００１８】
以上の構成において、水処理施設４で処理された処理水はある一定量蒸発槽３内に蓄えられ、太陽熱、または補助ヒータ９、あるいは温水の循環による加熱により水分をとばされ、蒸発した水分はファン７により建物２外に順次排出される。そして一定時間経過後には、水分は完全に蒸発し、塩分のみがマット１０の表面に析出する。
【００１９】
なお、以上の動作を自動化する場合には、蒸発の検出は水分計などにより行い、この計測値が設定値になったら、再度水処理施設４より一定量の処理水を供給する制御を繰返せばよい。また、以上の蒸発乾燥処理は間欠的ならざるを得ないが、その一方で水処理施設４が連続的に水処理を行う必要がある場合には、以上の設備を備えた建物２を複数配列しておき、順次乾燥処理が終った建物に処理水を分配する制御を行えばよい。
【００２０】
【発明の効果】
以上の説明により明らかなように、本発明による処理水の最終処分方法によれば、水処理施設からの処理水を蒸発乾燥させて処分しているので、公共水域などを利用している農作物などが処理水に含まれる塩化物イオンによる塩害を受けるのを防止することができる。
また、蒸発施設は、屋根部の少なくとも南面側が透明ガラス屋根に形成され、一側部に吸気用窓部が設けられ、他側部に排気用窓部が設けられる建物と、吸気用窓部に設けられて、吸気用窓部から排気用窓部に向けて送風するファンと、建物の内部に設置される蒸発槽と、蒸発槽の底面に交換可能に敷設されるフィルタマットとを備えた簡単な構成のものであるので、施設の設置に要する費用を安く抑えることができ、水処理施設からの処理水の処分に要する費用を低減させることができる。
さらに、蒸発槽の底面にフィルタマットを交換可能に敷設し、このフィルタマットに処理水の水分蒸発後の固形分を吸着させるようにしたので、フィルタマットを新しいものと交換することにより、固形分（塩分）の除去の手間を省略することができ、これによっても処理水の処分に要する費用を低減させることができる。
さらに、黒色に着色されたフィルタマットを使用しているので、フィルタマットに吸熱性を付与することができ、処理水の水分を効率良く蒸発させることができる。
【図面の簡単な説明】
【図１】本発明方法を適用した浸出水処理水の最終処分施設の説明図である。
【符号の説明】
１  蒸発施設
２  建物
３  蒸発槽
４  水処理施設
５  透明パネル
６  窓部
７  ファン
９  ヒータ
１１  太陽光発電装置（太陽光発電パネル）
１２  風力発電装置
１４  切替器
１５  商用電源
【図１】
0003952768.tif 000002